(57)【要約】      （修正有）【課題】パイプハウス内での微小気泡水を使用した魚介類の陸上養殖において、夏季の直射日光によるハウス内の過剰な温度上昇を抑制する効果と、冬季には直射日光によるハウスの室温を高める効果とを低コストで得られる魚介類の微小気泡水養殖設備を提供する。【解決手段】複数本のパイプ材からなる骨組２１と、骨組２１を覆う透明樹脂フィルムとを有したパイプハウス１１と、このパイプハウス１１に収納され、かつ魚介類を微小気泡水の中で養殖する養殖槽１５と、微小気泡水生成装置とを備え、透明樹脂フィルムは、温度が高くなるほど照射された光の散乱度合いが高まる光散乱度合温度制御フィルムで、パイプハウス１１の屋根１１ａまたは壁１１ｂの少なくとも一部に、内外２枚の光散乱度合温度制御フィルム２４，２５がバルーン状に重なる二重フィルム構造部２３を設けた。【選択図】図１
0003206575.tif 000002
【実用新案登録請求の範囲】
【請求項１】
複数本のパイプ材からなる骨組と、該骨組を覆う透明樹脂フィルムとを有したパイプハウスと、
該パイプハウスに収納され、魚介類を微小気泡水の中で養殖する養殖槽と、
水中で微小気泡を発生させる微小気泡水生成装置とを備えた魚介類微小気泡水養殖設備であって、
前記透明樹脂フィルムは、温度が高くなるほど照射された光の散乱度合いが高まる光散乱度合温度制御フィルムで、
前記パイプハウスの屋根または壁の少なくとも一部に、内外２枚の前記光散乱度合温度制御フィルムがバルーン状に重なる二重フィルム構造部を設けたことを特徴とする魚介類の微小気泡水養殖設備。
【請求項２】
前記微小気泡水がナノバブル水であることを特徴とする請求項１に記載の魚介類の微小気泡水養殖設備。
【請求項３】
前記光散乱度合温度制御フィルムの主原料が、ポリオレフィンである請求項１または請求項２に記載の魚介類の微小気泡水養殖設備。
【請求項４】
前記二重フィルム構造部には、前記２枚の光散乱度合温度制御フィルムの隙間に空気を吹き込むファンを設けたことを特徴とする請求項１〜請求項３のうち、何れか１項に記載の魚介類の微小気泡水養殖設備。
【請求項５】
前記パイプハウスの屋根が、切妻屋根または丸屋根である請求項１〜請求項４のうち、何れか１項に記載の魚介類の微小気泡水養殖設備。
【考案の詳細な説明】
【技術分野】
【０００１】
この考案は、パイプハウスに設けた養殖槽の中で、ナノバブル水等の微小気泡水により魚介類を陸上養殖する魚介類の微小気泡水養殖設備に関する。
【背景技術】
【０００２】
近年、ナノバブル水を使用し、ヒラメ、フグ、エビ、貝等の魚介類を陸上養殖する技術が開発されている（例えば、非特許文献１）。ナノバブル水は、直径がナノメートル単位の微細な気泡を含む水である。このように気泡体積が微小であるため、上昇速度が遅く、長い間水中に気泡が滞在し続けることにより、高い溶存酸素量が得られる。その結果、魚介類の酸素欠乏が防止され、かつ魚病の原因となる嫌気性菌が減少して魚介の生産性が高まり、また水中の懸濁物の浮上、養殖槽の底のヘドロの浮上などの効果も得られる。
このような魚介類の陸上養殖施設として、パイプハウス（ビニールハウス）を利用することが考えられる。
【０００３】
しかしながら、従来のパイプハウスは、パイプ材からなる骨組を透明樹脂フィルムにより覆っただけの構造であったため、夏季には直射日光の影響を受け、ハウス内の温度が過度に上昇し、養殖槽の水温も高くなっていた。そこで、従来はパイプハウスに空冷機を配備し、ハウス内の温度を下げて養殖槽の水温上昇を抑え、直射日光による魚介類の養殖への影響を小さくしていた。
ところが、これでは設備コストやランニングコストが高騰し、魚介類の価格を高める原因となっていた。
【先行技術文献】
【特許文献】
【０００４】
【非特許文献１】［平成２８年６月３０日検索］、インターネット＜URL：ｈｔｔｐ：／／ｗｗｗ．ｎａｎｏ−ｘ．ｃｏ．ｊｐ／ｈｉｇｈ−ｏｘｙｇｅｎ
【考案の開示】
【考案が解決しようとする課題】
【０００５】
そこで、考案者は、鋭意研究の結果、パイプハウスの透明樹脂フィルムとして、温度に応じて、直射日光を散乱光に変換する度合いが変化する光散乱度合温度制御フィルムを採用し、かつパイプハウスの屋根や壁の少なくとも一部に、２枚の光散乱度合温度制御フィルムを重ねたバルーン状の二重フィルム構造部を採用すればよいことに想到した。すなわち、気温が高い夏季（高温期）には、フィルムの直射日光を散乱光に変える度合いが高まってハウス内の温度上昇が抑えられる一方、気温が低い冬季（低温期）には、フィルムの透明性が高まってハウス内への直射光の到達を確保できることを知見し、この考案を完成させた。
【０００６】
本考案は、このような従来の問題点に艦がみなされたもので、魚介類の陸上養殖に微小気泡水を使用することにより、魚介類の酸素欠乏や魚病等の発生を抑制することで魚介類の生産性を高めることができ、またパイプハウスを利用した陸上養殖において、夏季の直射日光によるハウス内の過剰な温度上昇を抑制する効果と、冬季のハウスの室温を高める効果とが低コストで得られる魚介類の微小気泡水養殖設備を提供することを目的としている。
【課題を解決するための手段】
【０００７】
請求項１に記載の本考案は、複数本のパイプ材からなる骨組と、該骨組を覆う透明樹脂フィルムとを有したパイプハウスと、該パイプハウスに収納され、魚介類を微小気泡水の中で養殖する養殖槽と、水中で微小気泡を発生させる微小気泡水生成装置とを備えた魚介類微小気泡水養殖設備であって、前記透明樹脂フィルムは、温度が高くなるほど照射された光の散乱度合いが高まる光散乱度合温度制御フィルムで、前記パイプハウスの屋根または壁の少なくとも一部に、内外２枚の前記光散乱度合温度制御フィルムがバルーン状に重なる二重フィルム構造部を設けたことを特徴とする魚介類の微小気泡水養殖設備である。
【０００８】
また、請求項２に記載の本考案は、前記微小気泡水がナノバブル水であることを特徴とする請求項１に記載の魚介類の微小気泡水養殖設備である。
【０００９】
さらに、請求項３に記載の本考案は、前記光散乱度合温度制御フィルムの主原料が、ポリオレフィンである請求項１または請求項２に記載の魚介類の微小気泡水養殖設備である。
【００１０】
さらにまた、請求項４に記載の本考案は、前記二重フィルム構造部には、前記２枚の光散乱度合温度制御フィルムの隙間に空気を吹き込むファンを設けたことを特徴とする請求項１〜請求項３のうち、何れか１項に記載の魚介類の微小気泡水養殖設備である。
【００１１】
また、請求項５に記載の本考案は、前記パイプハウスの屋根が、切妻屋根または丸屋根である請求項１〜請求項４のうち、何れか１項に記載の魚介類の微小気泡水養殖設備である。
【００１２】
ここでいう微小気泡水とは、例えば、直径が数十マイクロメートル以下の気泡を含むマイクロバブル水や、直径がナノメートル単位（数百ナノメートル以下）の微細な気泡を含むナノバブル水である。
ナノバブル水の生成装置としては、例えば、マイクロバブル水の中で羽根付き回転体を回転してマイクロバブルを圧壊し、ナノバブルを生成させるバブル圧壊式のものを採用することができる。
【００１３】
ここでいう光散乱度合温度制御フィルムとは、温度に応じて、直射日光を散乱光に変換する度合いが変化する特殊な合成樹脂フィルムである。すなわち、フィルム温度が高まるほどフィルムのヘイズ値が高くなり、フィルムが白色化する。この光散乱度合温度制御フィルムとしては、例えば、サンテーラ株式会社製の「光制御型農業ＰＯ(ポリオレフィン)フィルム」を採用することができる。
光散乱度合温度制御フィルムのフィルム温度とヘイズ値との関係は任意である。例えば、好適な光散乱度合温度制御フィルムとして、フィルム温度が０℃の場合にヘイズ値が約１９％、フィルム温度が１０℃の場合にヘイズ値が約２３％、フィルム温度が２０℃の場合にヘイズ値は約３８％、フィルム温度が３０℃の場合にヘイズ値が約４２％、フィルム温度が４０℃の場合にヘイズ値が約５９％となるものを採用することができる。なお、一般的なパイプハウス用の透明樹脂フィルム(例えば、ビニールフィルム)は、フィルム温度が変化してもヘイズ値は略一定である。
【００１４】
二重フィルム構造部は、パイプハウスの屋根および壁の全部に配しても、例えば屋根のみまたは壁のみに配してもよい。
内側（ハウス側）光散乱度合温度制御フィルムと外側光散乱度合温度制御フィルムとをバルーン状に接合する方法としては、例えば、重ね合わせた２枚のフィルムの辺部同士を長尺な溝状クリップ構造体（例えば、東都興業製の“ビニペット”）により着脱自在に固定するクリップ止めを採用することができる。その他、熱融着や接着などでもよい。
ここでいう“バルーン状”とは、内部空気が密封される袋状でも、一部が開口した袋状でもよい。ただし、密封していない場合には、シートの膨らみ状態を維持するため、例えば、２枚のシートの隙間に空気を連続供給したり、細い骨組によって内外２枚のシートを袋状に支持する必要がある。
【考案の効果】
【００１５】
請求項１に記載の身体冷暖房装置によれば、魚介類の陸上養殖に微小気泡水を使用することにより、陸上養殖でありながら魚介類の酸素欠乏が防止され、かつ嫌気性菌が減少して魚病等の発生も抑えられ、その結果、魚介類の生産性が高まる。さらには、養殖槽においては、水中の懸濁物（魚介類の糞や餌の食べカス）や養殖槽の底のヘドロが水面に浮上することで、これらの異物の回収が容易になる。
また、パイプハウスの透明樹脂フィルムとして、温度に応じて、直射日光を散乱光に変換する度合いが変化する光散乱度合温度制御フィルムを採用し、かつパイプハウスの屋根や壁の少なくとも一部に、２枚の光散乱度合温度制御フィルムを重ねたバルーン状の二重フィルム構造部を採用している。これにより、気温が高い夏季（高温期）には、光散乱度合温度制御フィルムの直射日光を散乱光に変える度合いが高まり（フィルムが白色化し）、ハウス内の温度上昇が抑えられる一方、気温が低い冬季（低温期）には、光散乱度合温度制御フィルムの透明性が高まり、ハウス内への直射光の到達を確保してハウスの室温を高めることができる。しかも、これらの効果を低コストで得ることができる。
【００１６】
特に、内外２枚の光散乱度合温度制御フィルムは、中間に空気層を介在したバルーン状に付形されているため、直射日光は、まず凸状に湾曲した外側光散乱度合温度制御フィルムを通過する際に散乱し、空気層を経て凹状に湾曲した内側光散乱度合温度制御フィルムを通過する際に再度散乱する。その結果、平坦な２枚重ねの光散乱度合温度制御フィルムを直射日光が通す場合や、単に一方向に湾曲した平行な２枚の光散乱度合温度制御フィルムを通過する場合に比べて、光の散乱度合いは大きくなる。
【図面の簡単な説明】
【００１７】
【図１】この考案の実施例１に係る魚介類の微小気泡水養殖設備の切妻屋根を有したパイプハウスの正面図である。
【図２】この考案の実施例１に係る魚介類の微小気泡水養殖設備の全体構成を示す模式図である。
【図３】この考案の実施例２に係る魚介類の微小気泡水養殖設備の丸屋根を有するパイプハウスの正面図である。
【考案を実施するための形態】
【００１８】
以下、この考案の実施例を具体的に説明する。ここでは、パイプハウス内の養殖槽で、微小気泡水としてナノバブル水を使用した魚の陸上養殖を例にとる。
【実施例】
【００１９】
図１および図２において、１０はこの考案の実施例１に係る魚介類の微小気泡水養殖設備で、この魚介類の微小気泡水養殖設備１０は、パイプハウス１１と、パイプハウス１１内に設けられた魚の陸上養殖システム１２とを備えている。
まず、魚の陸上養殖システム１２を説明する。
図２に示すように、魚の陸上養殖システム１２は、ループ状の循環水路１３の途中に、順次、ナノバブル水の循環ポンプ１４と、魚を養殖する養殖槽１５と、魚の糞などを沈降させる沈殿槽１６と、水中の異物をフィルタにより捕獲する物理ろ過装置１７と、水中でナノバブルを発生させるナノバブル水生成装置（微小気泡水生成装置）１８と、バクテリアを利用して水中の有害物質を無害化する生物ろ過装置１９と、循環するナノバブル水を魚が快適な温度に調整する水温調整装置２０とが互いに所定間隔をあけて配設されている。
【００２０】
養殖槽１５は魚が回遊できる円形の養殖槽１５である。
ナノバブル水生成装置１８は、図示しないものの、第１の容器と、第１の容器内の水を撹拌してマイクロバブルを生成する第１の羽根付き回転体とを有するマイクロバブル生成手段と、マイクロバブル生成手段と配管により接続された第２の容器と、第２の容器内の水中のマイクロバブルを圧壊させてナノバブルを生成する第２の羽根付き回転体とを有している。ナノバブル水生成に際しては、第１の容器内で水を第１の羽根付き回転体により撹拌し、マイクロバブル水を生成する。その後、得られたマイクロバブル水を第２の容器へ送り込み、ここで第２の羽根付き回転体により撹拌し、マイクロバブルを圧壊してナノバブル水を生成する。
【００２１】
次に、図１を参照して、前記パイプハウス１１を説明する。
パイプハウス１１は、多数本の金属製のパイプ材からなる骨組２１と、骨組２１を覆う透明樹脂フィルム２２とを備えた切妻屋根１１ａを有するものである。図１中の切妻屋根１１ａの頂上部の左側には、ハウス長さ方向（前後方向）に長い換気窓Ｗが形成されている。
以下、その構造を詳細に説明する。
【００２２】
透明樹脂フィルム２２としては、温度が高くなるほど照射された光の散乱度合いが高まって、フィルムのヘイズ値が上がる光散乱度合温度制御フィルムを採用している。具体的には、ポリオレフィン系樹脂を主原料としたサンテーラ株式会社製の“光制御型農業ＰＯフィルム”を採用している。
また、パイプハウス１１の切妻屋根１１ａと左右の側壁１１ｂ、詳しくはハウスの左右の屋根板と、左右の側壁板の上部および下部との合計６箇所には、２枚の光散乱度合温度制御フィルムをバルーン状に重ねた二重フィルム構造部２３が配されている。
【００２３】
次に、図１を参照して、二重フィルム構造部２３を具体的に説明する。
各二重フィルム構造部２３は、パイプハウス１１の骨組２１を覆う光散乱度合温度制御フィルムの一部を構成する、矩形状の内側光散乱度合温度制御フィルム２４と、これの外面に対向配置される矩形状の外側光散乱度合温度制御フィルム２５と、内側光散乱度合温度制御フィルム２４および外側光散乱度合温度制御フィルム２５の各辺部同士をクリップ止めする縦横合計４本の長尺な溝状クリップ構造体２６と、内外２枚の光散乱度合温度制御フィルム２４，２５の隙間に空気を吹き込むことにより、外側光散乱度合温度制御フィルム２５をバルーン状に膨らませるファン２７とを有している。ファン２７は、内側光散乱度合温度制御フィルム２４の表裏面を貫通し、骨組２１に固定されている。溝状クリップ構造体２６も骨組２１に取り付けられる。
【００２４】
次に、この考案の実施例１に係る魚介類の微小気泡水養殖設備１０による魚の陸上養殖方法を説明する。
まず、各二重フィルム構造部２３において、ファン２７を作動し、内側光散乱度合温度制御フィルム２４と外側光散乱度合温度制御フィルム２５との隙間に空気を吹き込み、各外側光散乱度合温度制御フィルム２５をバルーン状に膨らませる。
【００２５】
このように、パイプハウス１１の透明樹脂フィルム２２として、温度に応じて、直射日光を散乱光に変換する度合いが変化する光散乱度合温度制御フィルムを採用し、かつパイプハウス１１の屋根１１ａや左右の側壁に、内外２枚光散乱度合温度制御フィルム２４，２５を重ねたバルーン状の二重フィルム構造部２３を採用したため、気温が高い夏季（高温期）には、これらの光散乱度合温度制御フィルム２４，２５の直射日光を散乱光に変える度合いが高まり(フィルムが白色化し)、ハウス内の温度上昇が抑えることができる。また、気温が低い冬季（低温期）には、内外２枚の光散乱度合温度制御フィルム２４，２５の透明性が高まり、ハウス内への直射光の到達を確保してハウスの室温を高めることができる。しかも、これらの効果を低コストで得ることができる。
【００２６】
特に、内外２枚の光散乱度合温度制御フィルム２４，２５は、中間に空気層を介在したバルーン状に付形されているため、直射日光は、まず凸状に湾曲した外側光散乱度合温度制御フィルム２５を通過する際に散乱し、空気層を経て凹状に湾曲した内側光散乱度合温度制御フィルム２４を通過する際に再度散乱する。その結果、平坦な２枚重ねの光散乱度合温度制御フィルムを直射日光が通す場合や、単に一方向に湾曲した平行な２枚の光散乱度合温度制御フィルムを通過する場合に比べて、光の散乱度合いは大きくなる。
【００２７】
また、魚の陸上養殖時には、循環ポンプ１４を作動させることにより、ナノバブル水生成装置１８で生成された溶存酸素濃度１０ｍｇ／リットルのナノバブル水が、生物ろ過装置１９に供給されて生物ろ過された後、水温調整装置２０により魚に最適な水温に調整されて養殖槽１５に給水され、魚の養殖に使用される。
その後、魚の糞などを含む使用済みの水は、養殖槽１５の底部から沈殿槽１６へ排出され、ここで魚の糞などの水より比重が大きい異物が沈降分離される。その処理水は物理ろ過装置１７へ流れ込み、フィルタにより小さい異物が捕獲される。その後、ろ過水は、再びナノバブル生成装置へ流れ込んでナノバブル水となる。以降、上述した工程を、循環ポンプ１４を停止するまで順次繰り返す。
このように、魚の陸上養殖にナノバブル水を使用することで、陸上養殖でありながら魚の酸素欠乏が防止され、かつ嫌気性菌が減少して魚病の発生も抑えられ、その結果、魚の生産性が高まる。また、養殖槽１５においては、水中の懸濁物や養殖槽１５の底のヘドロが水面に浮上することで、これらの異物の回収が容易になる。
【００２８】
次に、図３を参照して、この考案の実施例２に係る魚介類の微小気泡水養殖設備を説明する。
この考案の実施例２に係る魚介類の微小気泡水養殖設備１０Ａの特徴は、実施例１のパイプハウス１１に代えて、丸屋根（ドーム屋根）１１ｃを有する２棟連結式のパイプハウス１１Ａを採用した点である。
丸屋根１１ｃであるため、屋根側の二重フィルム構造部２３は、実施例１のものに代えて、大判のものを各棟に１つずつ配している。また、左右の側壁側の二重フィルム構造部２３は、パイプハウス１１Ａの左右の側壁１１ｂにそれぞれ大判のものを１つずつ配している。
その他の構成、作用および効果は、実施例１から推測可能であるため、説明を省略する。
【産業上の利用可能性】
【００２９】
この考案は、パイプハウス内に設けた養殖槽において、微小気泡水による魚介類の陸上養殖技術として有用である。
【符号の説明】
【００３０】
１０，１０Ａ  魚介類の微小気泡水養殖設備
１１，１１Ａ  パイプハウス
１１ａ  切妻屋根(屋根)
１１ｂ  側壁（壁）
１１ｃ  丸屋根(屋根)
１５  養殖槽
１８  ナノバブル水生成装置 (微小気泡水生成装置)
２１  骨組
２２  透明樹脂フィルム
２３  二重フィルム構造部
２４  内側光散乱度合温度制御フィルム
２５  外側光散乱度合温度制御フィルム
２７  ファン
【図１】
0003206575.tif 000003
【図２】
0003206575.tif 000004
【図３】
0003206575.tif 000005